(57)【要約】【課題】軽く形状の変形しやすい寝具を掛け寝具の全部または一部として使用する場合であっても、掛け寝具と装置本体の相対的な移動を効果的に防止する足部環境調整装置を得ること。【解決手段】足部環境調整装置１０は、天板部１１とこの天板部２１を基準面から所定の間隔に保つための天板支持部１２および通電によって３次元空間としての環境調整領域の温度あるいは換気の調整を行う環境調整手段１３を備えている。保持部材１４は、掛け寝具における天板部１１あるいは天板支持部１２の上部と接触する部位の少なくとも一部を構成する特定寝具部位を対応する前記した接触する部位に着脱自在で保持する。【選択図】図１
2015113984.tif 000002
【特許請求の範囲】
【請求項１】
人が所定の基準面上に仰向けに横たわった状態でその両足の踵から爪先までの足部を収容可能な予め定めた３次元空間としての前記基準面よりも上方に位置する水平な上面部、前記基準面に位置する底面部およびこれらの間を隙間なく結ぶ側面部からなる環境調整領域における前記上面部と接する全体として水平で平板状をした天板部と、
前記側面部を一周して取り囲む筒状の仮想領域内に配置され、前記天板部の底面に上端部を位置させると共に、前記基準面に下端部を位置させることで前記天板部を空間的に固定的に保持する支持部材であって、前記側面部における特定の側部側とこの側部側の反対に位置する他方の側部側の双方に前記基準面を底辺とし前記足部を前記環境調整領域とそれ以外の領域の間で出し入れ可能にするサイズと形状の開口部を少なくとも１つずつ設けた天板支持部と、
前記天板部と天板支持部の少なくとも一方に配置され、温度あるいは通気状態で定まる前記足部の環境条件を、前記環境調整領域の温度を通電により変化させる温度制御デバイスあるいは前記環境調整領域の空気を通電により移動させるファンの少なくとも一方からなる環境調整部品への前記通電によって電気的に調整する環境調整手段と、
敷き布団あるいはベッドの上を基準面として人が仰向けに横たわった状態でその両足の踵から爪先までの足部を収容可能な前記３次元空間を確保するために前記敷き布団あるいはベッドの上に前記天板支持部の底部を載置したとき前記３次元空間を構成する上面部と接する前記天板部の少なくとも一部を覆うように掛ける寝具としての掛け寝具における前記天板部あるいは前記天板支持部の上部と接触する部位の少なくとも一部を構成する特定寝具部位を対応する前記接触する部位に着脱自在で保持する保持部材
とを具備することを特徴とする足部環境調整装置。
【請求項２】
人が所定の基準面上に仰向けに横たわった状態でその両足の踵から爪先までの足部を収容可能な予め定めた３次元空間としての前記基準面よりも上方に位置する水平な上面部、前記基準面に位置する底面部およびこれらの間を隙間なく結ぶ側面部からなる環境調整領域における前記上面部と接する全体として水平で平板状をした天板部と、
前記側面部を一周して取り囲む筒状の仮想領域内に配置され、前記天板部の底面に上端部を位置させると共に、前記基準面に下端部を位置させることで、垂直方向以外の方向から所定の閾値以上の力が加わるまで前記天板部を空間的に固定的に保持し、前記閾値以上の力が加わるとその間だけ弾性的に変形する支持部材であって、前記側面部における特定の側部側とこの側部側の反対に位置する他方の側部側の双方に前記基準面を底辺とし前記足部を前記環境調整領域とそれ以外の領域の間で出し入れ可能にするサイズと形状の開口部を少なくとも１つずつ設けた天板支持部と、
敷き布団あるいはベッドの上を基準面として人が仰向けに横たわった状態でその両足の踵から爪先までの足部を収容可能な前記３次元空間を確保するために前記敷き布団あるいはベッドの上に前記天板支持部の底部を載置したとき前記３次元空間を構成する上面部と接する前記天板部の少なくとも一部を覆うように掛ける寝具としての掛け寝具における前記天板部あるいは前記天板支持部の上部と接触する部位の少なくとも一部を構成する特定寝具部位を対応する前記接触する部位に着脱自在で保持する保持部材
とを具備することを特徴とする足部環境調整装置。
【請求項３】
前記環境調整領域における温度あるいは通気状態で定まる前記足部の環境条件を、前記環境調整領域の温度を通電により変化させる温度制御デバイスあるいは前記環境調整領域の空気を通電により移動させるファンの少なくとも一方からなる環境調整部品への前記通電によって電気的に調整する環境調整手段を具備することを特徴とする請求項２記載の足部環境調整装置。
【請求項４】
前記閾値以上の力は、前記天板部の上に載置される通常の静物によって加えられる力を超える力であり、前記天板支持部を構成する柱状部材はゴム材またはバネ材等の弾性部材によって構成されていることを特徴とする請求項２記載の足部環境調整装置。
【請求項５】
前記環境調整領域の高さは、人が仰向けの姿勢で前記両足の踵を前記基準面に接した状態で前記爪先の高さよりも高く設定されることを特徴とする請求項１または請求項２記載の足部環境調整装置。
【請求項６】
前記天板部は平面形状が長方形をした平板であって、前記環境調整領域に収容された足の親指を引っかけることができる所定サイズの開口が１以上の任意の個数形成されており、前記天板支持部は前記天板部の四隅に１本ずつ配置された合計４本の柱状部材を備えることを特徴とする請求項１または請求項２記載の足部環境調整装置。
【請求項７】
前記環境調整領域内部のそれぞれ異なる箇所に配置された第１および第２のスイッチと、
前記第１のスイッチが所定の第１の時間内に押されるたびに前記環境調整手段の調整項目をサイクリックに１項目ずつ変えて指示する調整項目指示手段と、
この調整項目指示手段が調整項目を指示してから所定の第２の時間が経過する前に前記第２のスイッチが押されたとき前記第１のスイッチで指示した調整項目を選択して実行する調整項目実行手段
とを具備することを特徴とする請求項１または請求項３記載の足部環境調整装置。
【請求項８】
前記天板部にはその一側部を中心として折り返し自在な板状の折り返し部が取り付けられており、この折り返し部および前記天板部の少なくとも一部は蓄熱部材で構成されていることを特徴とする請求項１または請求項３記載の足部環境調整装置。
【請求項９】
前記天板支持部の下端部あるいはその近傍に取り付けられ、前記３次元空間の側面あるいは底面に相当する場所に９０度回転して折り畳み自在であって、前記環境調整領域から遠ざかる方向に所定距離だけ水平方向に延長配置可能な姿勢安定部を更に具備することを特徴とする請求項１または請求項２記載の足部環境調整装置。
【発明の詳細な説明】
【技術分野】
【０００１】
本発明は、人間の足部の環境を良好に保つ足部環境調整装置に関する。本発明は、特に人間がベッドや布団の上で体を横たえたときに好適に使用できる足部環境調整装置に関する。
【背景技術】
【０００２】
人間は、人生における就寝時間等の多くの時間を体を横たえて過ごす。このとき、周囲の温度が最適であれば、体温を保持するための毛布や掛け布団等の寝具は必ずしも必要ない。しかしながら、冬場のように周囲の温度が比較的低い場合には、頭部を除いた体全体を掛け布団、毛布、タオルケット等の寝具（以下、単に掛け寝具という）で覆う場合が多い。
【０００３】
図６は、人が仰向けになって寝具を掛けて寝ている状態の一例を示したものである。敷布団１０１の上には人１０２がその頭部１０２Ａを枕１０３に載せて仰向けに寝ている。掛け寝具１０４は人１０２の胴体１０２Ｃから上腿部１０２Ｄ、下腿部１０２Ｅ、足１０２Ｆまでの上部を順に覆う形で掛けられている。足１０２Ｆは、この図で示す仰向けの姿勢での就寝時に、足首１０２ＦＡの部分から先が敷布団１０１との間で所定の角度を成すように傾斜している。これは、足１０２Ｆ自体の重さに、甲１０２ＦＢの部分から爪先１０２ＦＣまでに加わる掛け寝具１０４の重さが加算された結果である。
【０００４】
冬場のように就寝時の室温が低下する状況では、寒さへの対策から掛け寝具１０４を厚いものにしたり、これらを複数枚重ねて使用する。この際、掛け寝具１０４の重さが増すと共に、この重さが足の甲１０２ＦＢや爪先１０２ＦＣに掛かる。これにより、足１０２Ｆは不自然な角度まで傾斜することになり、人１０２に違和感を生じさせたり、関節痛の原因となるおそれがある。また、甲１０２ＦＢが体温よりも低い掛け寝具１０４の表面に接触する感触があり、足裏１０２ＦＤと掛け寝具１０４の間の空間１０５の存在と併せて、人１０２の多くは就寝時に足１０２Ｆの冷たさを感じることになる。
【０００５】
図７および図８は、仰向けに横たわった状態で足の爪先や甲に荷重が掛かる際の人の姿勢の変化の代表例を幾つか示したものである。これらの図で破線は、人の胴体１０２Ｃから足の爪先１０２ＦＣまでを覆う掛け寝具１０４を表わしている。
【０００６】
このうち図７では、掛け寝具１０４の重さから両足の爪先１０２ＦＣが図で反時計方向に所定角度回転した状態を表わしている。また、図８では同様の理由で右足が反時計方向に所定角度回転し、左足が時計方向に他の所定角度回転している。このように爪先１０２ＦＣに掛け寝具１０４の重さが加わると、一般に人はこの重さに屈するように足１０２Ｆを回転させる。また、人は仰向けに寝ると、重力の作用で、背骨に対する足の甲の傾斜角が広がる。図６で示したように、掛け寝具１０４が甲１０２ＦＢや爪先１０２ＦＣに被さると、その重みによって足１０２Ｆは敷布団１０１との間の角度を減少させる不自然な力を受けることになる。そこで足先の負担をできるだけ軽減しようとすれば、人は無意識のうちに図７または図８に示す姿勢を採ったり、体を横にねじる姿勢を採ったりすることになる。
【０００７】
人が一日に睡眠をとる時間は比較的長い。したがって、図７および図８で示した例のような姿勢のうちの１つを固定的に長時間とると、体に何らかの無理が生じたり、これが長い年月反覆的に継続すると骨格に何らかの不具合を与える可能性がある。たとえば、Ｏ脚の原因の１つになったり、関節炎の原因の１つとなり得る。
【０００８】
掛け寝具１０４と足１０２Ｆの関係で生じるこのような不具合は、日常生活で当たり前に生じるものであるとしてほとんど議論されていない。しかしながら、突然の病気や手術によって体力が急激に落ちたような場合には、足の甲１０２ＦＢや爪先１０２ＦＣに加わる掛け寝具１０４の重みが不自然に大きく感じられることがある。このような場合に、胴体を仰向けの姿勢から９０度回転させて、足の爪先１０２ＦＣが床の平面により近づくように傾けたり、時間をおいて体を左右に回転させる寝返りを繰り返し行うことになる。これは、熟睡を妨げる要因となる。また、冬場の就寝時に足１０２Ｆの冷たさを感じて寝付きが悪くなる者も多い。
【０００９】
そこで本発明者は以上の問題を解決することのできる足部環境調整装置を本発明の関連技術として提案した（特許文献１参照）。
【００１０】
図９は、この関連技術の第１の形態としての足部環境調整装置の外観を表わしたものである。この足部環境調整装置２００は、直方体状の天板部２０１とその両側端部から下向きに取り付けられた第１および第２の側板２０２、２０３からなる装置本体２０４と、第２の側板２０３に接続された電源供給部２０５およびコントローラ部２０６から構成されている。
【００１１】
ここで、第１の側板２０２は、足部環境調整装置２００を使用していないとき、図示しないロック機構を解除することで、第１のヒンジ部２１１を中心に天板部２０１の配置されている方向に９０度回転させて天板部２０１の下面側と接するように折り畳むことができる。第２の側板２０３も、足部環境調整装置２０を使用していないとき、同じく図示しない他のロック機構を解除することで、第２のヒンジ部２１２を中心に天板部２０１の配置されている方向に９０度回転させて、天板部２０１の下面側と接するように第１の側板２０２の反対側から折り畳むことができる。
【００１２】
この足部環境調整装置２００は、第１および第２の側板２０２、２０３を図示のように対向配置した起立状態としてのロック状態にして、図示しない敷布団やマットあるいは畳の上に置き、天板部２０１の上を掛け寝具で覆う。そして電源供給部２０５の電源プラグ２１３を図示しない電源コンセントに接続すると共に、電源スイッチ２１４をオン側にスライドして電源を投入する。
【００１３】
これにより、コントローラ部２０６を構成するコントローラ本体２１５の設定内容に応じて第２の側板２０３内の図示しない電熱線が通電し、第１のヒンジ部２１１と対向する面に配置された通電表示ランプ２１６が点灯する。電熱線は通電量に応じて発熱し、第１および第２の側板２０２、２０３ならびに天板部２０１で囲まれた直方体状の３次元空間としての環境調整領域２１８が適温に保たれる。ユーザはその足部をこの環境調整領域２１８に差し込んだ状態で掛け寝具を掛けて就寝する。
【００１４】
このような足部環境調整装置２００における天板部２０１は、１枚のプラスチック板、木板あるいは金属板で構成されていてもよいし、これらの片面あるいは両面をトラス構造やハニカム構造等をした補強材で補強したものであってもよい。もちろん、プラスチック板、木板あるいは金属板で四角形の枠を組んだだけのもの、あるいはこの枠の内部を前記した補強材で補強しただけのもの等の各種の変形が可能である。天板部２０１は必ずしも１枚の平板で形成される必要はなく、金属製の網あるいは所定の枠内を所定間隔で配置した金属棒から構成される開口部が複数配置された板状のものであってもよい。
【００１５】
要は、装置本体２０４が掛け寝具の重さに耐えられるだけの強度を持ち、全体として水平な平板として掛け寝具を支える構造となっていればよい。天板部２０１には、その上面等の面にわずかな段差が存在してもよい。また天板部２０１に微視的な凹凸や複数の穴が面上に開いていても、あるいは天板部２０１が格子状のフレームで形成されていても、全体的に水平に保たれる面が形作られているものであればよい。天板部２０１を金属等の熱伝導率の良好な材料で構成している場合には、その環境調整領域２１８と接する面を布等の熱伝導率の低い材料で覆うことが好ましい。
【００１６】
第１の側板２０２も天板部２０１と同様の材料および構造であってよい。最も単純な構造としては天板部２０１を支える２本の脚柱だけでもよく、板としての構造である必要はない。第１の側板２０２についても、これを金属等の熱伝導率の良好な材料で構成している場合には、その環境調整領域２１８と接する面を布等の熱伝導率の低い材料で覆うことが好ましい。図９では天板部２０１や第１の側板２０２を図面の作成の便宜のために薄い板状に描いているが、このようなものである必要はない。特に第１の側板２０２における足が出入りする際に接する可能性のある箇所は、ある程度の厚さを有すると共に角張っていないこと、また、接触時に熱の伝達が生じにくい材質となっていることが、一例として好ましい。
【００１７】
第２の側板２０３は、第１の側板２０２と同様の構造であってもよい。ただし、第２の側板２０３は、通電により発熱する電熱線等の発熱体と、環境調整領域２１８の温度に応じて発熱体の通電を制御する温度制御手段を備えている。第２の側板２０３もその環境調整領域２１８と接する面は、布等の熱伝導率の低い材料で覆うことが好ましい。
【００１８】
足部環境調整装置２００は、天板部２０１のほぼ中央部に楕円形の開口部２１７を配置している。この開口部２１７は、人の足の親指を環境調整領域２１８内から差し込むことができるサイズとなっている。これは、図示しない敷布団やマットの上で足部環境調整装置２００が好適な位置からずれていることが分かったような場合に、ユーザが足の親指を開口部２１７に差し込んで位置を調整できるようにするためのものである。したがって、天板部２０１自体がたとえば網目構造の板材等の引っ掛かりのある部材で構成されているような場合には、この部分に足の指を引っかけて装置本体２０４を適所に移動させることができ、開口部２１７自体は不要である。もちろん、天板部２０１自体が平坦な板材で構成されていても、開口部２１７を必ず設けなければならないものではない。
【００１９】
図１０は、図６に対応するものであり、関連技術で人が仰向けになって寝具を掛けて寝ている状態の一例を横側から断面図として示したものである。図６と同一部分には同一の符号を付しており、これらの説明を適宜省略する。図９と共に説明する。
【００２０】
関連技術の足部環境調整装置２００は、敷布団１０１の上に寝ている人１０２の足の爪先１０２ＦＣや足の甲１０２ＦＢの部分が環境調整領域２１８内で天板部２０１と接触しない高さとなるように第１および第２の側板２０２、２０３の高さの調整を行っている。図１０でも示しているが、人１０２がリラックスしている状態では足先が多少前傾しているのが通常である。したがって、敷布団１０１における足の踵の部分の沈み分も考慮すると、第１および第２の側板２０２、２０３の高さは足の踵から爪先１０２ＦＣまでの長さほど必要としない。
【００２１】
掛け寝具１０４は、その一端部が足部環境調整装置２００をすっぽり覆う形で人１０２の胴体１０２Ｃや上腿部１０２Ｄ（および下腿部１０２Ｅの一部）を覆っている。そこで、足部が環境調整領域２１８内に適正に収容されていれば、爪先１０２ＦＣや足の甲１０２ＦＢの部分に掛け寝具１０４の圧力が掛かることはない。もちろん、人１０２は就寝中に体の各部の位置を無意識に移動させる。したがって、ある時点で、爪先１０２ＦＣが環境調整領域２１８の手前側（図で左側）に移動してしまったり、環境調整領域２１８を突き抜けて後ろ側（図で右側）にまで移動してしまうことはあり得る。これらの移動によって、足の爪先１０２ＦＣの部分が環境調整領域２１８の外に出て掛け寝具１０４の垂れ下がった部分に接触することもあり得る。しかしながら、この垂れ下がった部分が楯となる形を採り、力を分散させる。また、足の爪先１０２ＦＣが足部環境調整装置２００から多少飛び出していても、天板部２０１と足の爪先１０２ＦＣの間に掛け寝具１０４が掛け渡されているので甲１０２ＦＢの部分にまで掛け寝具１０４が当たる可能性が少ない。したがって、足の爪先１０２ＦＣや甲１０２ＦＢの部分に加わる圧力は足部環境調整装置２００が存在しない場合よりも軽減される。また、足の爪先１０２ＦＣや甲１０２ＦＢの部分が、環境調整領域２１８内の適正な位置に再度移動すれば、天板部２０１と接触しない状態に戻ることも可能である。
【００２２】
足部環境調整装置２００内の環境調整領域２１８は、図１０の紙面に垂直方向にも両足を多少の余裕をもって収容できるサイズとなっている。したがって、環境調整領域２１８を用いることで、人１０２は、自分の足の爪先１０２ＦＣの向きに対する外力の作用を大きく軽減させることができ、仰向けの姿勢を楽に採ることができる。
【００２３】
関連技術の足部環境調整装置２００は、図９にも示したように全体として角張った形状をしている。このため、掛け寝具１０４は、その重みにより天板部２０１の四隅に接触する箇所が食い込むように変形する。これにより、掛け寝具１０４は、足部環境調整装置２００の上に安定的に配置されることになり、人１０２が寝返りをしてもずれ落ちる恐れが少ない。天板部２０１の四隅が多少盛り上がっていれば、この効果は更に高まる。また、関連技術では、第１および第２の側板２０２、２０３の底部が掛け寝具１０４の重みで敷布団１０１の表面に多少食い込む形になる。このため、足部環境調整装置２００は環境調整領域２１８内で足が移動して第１あるいは第２の側板２０２、２０３と接触したとしても、これによって敷布団１０１上を移動させるおそれは少ない。
【００２４】
足部環境調整装置２００には、図９で示した第２の側板２０３内に電熱線が内蔵されており、冬期のように室温が低い状況で通電により発熱させ、環境調整領域２１８内を加温することができる。したがって、足部環境調整装置２００が加温状態にあるときは、図１０に示したように掛け寝具１０４でこれをすっぽり覆い、環境調整領域２１８が保温状態となることが好ましい。
【００２５】
これに対して、夏期のように室温が高い状況では足部環境調整装置２００の加温を必要としない。このような環境では足部環境調整装置２００を掛け寝具１０４ですっぽり覆う必要がない。また、環境調整領域２１８は、たとえばペルチェ素子を使用して電子的に温度を下げたり、掛け寝具１０４の位置をずらすことで外気を取り入れ可能にしたり、外気を取り入れる開口部のサイズを調整することができる。
【００２６】
既に説明したように、就寝時に人１０２の爪先１０２ＦＣは多少、頭部１０２Ａと反対方向に自重等で傾斜した状態となることが多い。したがって、足部環境調整装置２００の高さは、必ずしも足の踵から爪先１０２ＦＣまでの長さ（足長）以上となっている必要はない。踵の部分の敷布団１０１等の床面の素材の沈みの量（本発明の「基準面」は水平な面である必要はないが、基準面の少なくとも一部をなす水平な所定の面からのマイナス方向の長さである深さ）も考慮すると、足部環境調整装置２００の（前記した所定の面からのプラス方向の長さである）高さは十数センチメートルあるいは２０センチメートル程度で十分な場合が多い。足部環境調整装置２００が子供専用の装置や足の小さな人用であれば、その高さは更に低くてもよく、７センチメートル程度で十分な場合もある。また、足部環境調整装置２００から爪先１０２ＦＣが多少とも突き出すような配置にある場合、足の踵から爪先１０２ＦＣまでの長さ（足長）は装置本体自体の高さとほとんど関係なくなる。
【００２７】
このように関連技術の足部環境調整装置２００は、いわゆる「底板なし」の構造となっており、足が環境調整領域２１８に出入りするときに、シート等の足の摺動可能な平面あるいは曲面からなる基準面に沿って移動できる。これに加えて、足の踵の部分における基準面の沈み込みと、足の先端の自重による傾斜によって、足部環境調整装置２００の高さを足裏の実際の長さよりも低く設定が可能である。また、両足の先端部の就寝時の間隔は、多くの場合、それほど広がらない状態であることが多い。関連技術で足部環境調整装置２００の横幅は、一例として３０センチメートルであり、奥行は２５センチメートルとなっている。もちろん、部環境調整装置２００のこれらのサイズも、各種の変形が可能である。
【００２８】
図１１は、関連技術における足部環境調整装置の回路構成の概要を表わしたものである。足部環境調整装置２００は、電源供給部２０５に接続された装置本体２０４と、この装置本体２０４に接続されたコントローラ本体２１５から構成されることは既に説明した。図９と共に足部環境調整装置２００の回路構成を説明する。
【００２９】
装置本体２０４は、電源スイッチ２１４の一端から供給される電流をヒューズ（fuse）２２１およびサイリスタ（Silicon Controlled Rectifier）２２２を介して電熱線２２３に供給するようになっている。電熱線２２３には、通電表示ランプ２１６が並列接続されており、通電時にランプ表示が行われる。ヒューズ２２１は、異常な電流が流れたとき安全のために電源の供給を絶つためのものであり、異常温度の検出により電源を遮断するバイメタルをこの代わりに使用してもよい。もちろん、ヒューズ２２１とバイメタルを併用することも可能である。
【００３０】
トリガ回路２２４はサイリスタ２２２の図示しないアノードとカソードの間を流れる電流を制御するために、同じく図示しないゲートにトリガ用の電流を流す回路である。サイリスタ２２２による電熱線２２３等の通電制御のための技術は広く知られており、これに関する説明は省略する。もちろん、サイリスタ２２２以外の通電制御素子を使用することも可能である。
【００３１】
装置本体２０４内には図９に示した環境調整領域２１８の温度を検出するための内部温度センサ２２５が設けられており、その検出信号２２６はコントローラ本体２１５内の温度制御部２３１に供給される。温度制御部２３１は、図示しないがＣＰＵ（Central Processing Unit）と、このＣＰＵの実行する制御プログラムを格納したメモリを備えている。
【００３２】
温度制御部２３１は、外部温度センサ２３２とも接続されている。外部温度センサ２３２は、環境調整領域２１８以外の温度、すなわち掛け寝具１０４の外側の温度を検出するためにコントローラ本体２１５側に配置されている。温度制御部２３１は環境調整領域２１８の温度を急速に上昇させるための加温スイッチ２３３と、環境調整領域２１８の温度について一般的な調節を行う温度調節摘まみ２３４とも接続されている。
【００３３】
温度制御部２３１は、温度調節摘まみ２３４でユーザの設定した環境調整領域２１８内の温度を実現するように制御信号２３５をトリガ回路２２４に供給する。トリガ回路２２４は、この制御信号２３５によってサイリスタ２２２を通じて電熱線２２３に流れる電流をオン・オフ制御する。ここで温度制御部２３１は外部温度センサ２３２の検出した温度に対応させて内部温度センサ２２５の温度検出結果を修正し、室温が季節によって変化しても温度調節摘まみ２３４を頻繁に調節することなく足部環境調整装置２００が使用できるような制御を可能にしている。
【００３４】
加温スイッチ２３３は、比較的寒い時期に足部環境調整装置２００の立ち上がり時間を短縮したり、一時的に環境調整領域２１８の温度を若干高めに設定するために使用するスイッチである。この加温スイッチ２３３をユーザが押すと、図示しないタイマ回路が動作して、たとえば１分間、サイリスタ２２２が連続的に通電するような制御信号２３５がトリガ回路２２４に供給される。これにより、ユーザは冷えた足を環境調整領域２１８内で短時間に温めることができる。
【００３５】
したがって、足部環境調整装置２００の構成によっては電熱線２２３を通常加温用と急速加温用の２種類用意しておき、加温スイッチ２３３による通電発熱時に急速加温用を作動させるようにしてもよい。また、この急速加温用に電熱線２２３を使用する代りに、赤外線ランプを別に用意しておき、これを必要に応じて点灯させ、遠赤外線（熱線）をその間だけ出力するようにしてもよい。
【００３６】
もちろん、環境調整領域２１８の温度が所定温度以下の場合には、通常の温度制御の設定値よりも若干高くなるように初期的に急速加温を行い、その後、通常の温度制御の設定値に保つような温度制御を行うことは可能である。加温に遠赤外線を使用する場合には、たとえば遠赤外線メッシュ状発熱体を環境調整領域２１８に接する面の一部または全部に配置するようにしてもよい。電熱線２２３自体を遠赤外線メッシュ状発熱体で構成することも、もちろん可能である。
【００３７】
図１２は、関連技術の変形としての足部環境調整装置の外観を表わしたものである。この変形例の足部環境調整装置２００Ｋは、天板部２０１Ｋの図で左側の側部に第１の側板２０２Ｋの上部を取り付け、右側の側部に第２の側板２０３Ｋの上部を取り付けた構成となっている。第２の側板２０３Ｋ側には電源プラグ３０６を取り付けた電源コード３０５が接続されている。
【００３８】
第１および第２の側板２０２Ｋ、２０３Ｋには、それぞれ図示しないがヒータとサーモスタットを使用した暖房ユニットが内蔵されている。天板部２０１Ｋには、第１の側板２０２Ｋから第２の側板２０３Ｋ内部の加熱部９１１２に電気エネルギを供給したり、制御信号を伝達するための図示しない電線が配置されている。第１および第２の側板２０２Ｋ、２０３Ｋにおける環境調整領域２１８に属する側の表面は、断熱性と耐火性に優れた布材等の素材で構成されている。
【００３９】
このような足部環境調整装置２００Ｋによれば、ユーザが左右の足を一方ずつ第１および第２の側板２０２Ｋ、２０３Ｋの内壁に接触させることで、冬季の使用開始時に足部の冷えを早期に解消させることができる。また、ユーザが横向きに寝るような場合、左右どちらの方向に向いても両足を第１および第２の側板２０２Ｋ、２０３Ｋの一方の内壁に沿わせることで、足部への効率的な熱エネルギの伝達を実現することができる。
【先行技術文献】
【特許文献】
【００４０】
【特許文献１】特願２０１３−０９７２４２号（第００３９〜第００４７段落、第０１７１〜第０１７３段落、図４、図２５）
【発明の概要】
【発明が解決しようとする課題】
【００４１】
以上説明した関連技術では、足部環境調整装置２００（２００Ｋ）の上に図１０に示したように掛け寝具１０４を掛けて使用する。このとき、掛け寝具１０４が比較的厚い重量のある寝具である場合には、それ自体が足部環境調整装置２００（２００Ｋ）の上に重くのしかかることになる。したがって、足部環境調整装置２００（２００Ｋ）と掛け寝具１０４の位置関係が時間の経過で移動するおそれは比較的少ない。すなわち、掛け寝具１０４の下で足部環境調整装置２００（２００Ｋ）が横滑りしてその相対的な位置を変化させたり、掛け寝具１０４が足部環境調整装置２００（２００Ｋ）から滑るように移動してその相対的な位置を変化させるおそれは比較的少ない。
【００４２】
ところが、タオルケットや毛布といった軽く形状の変形しやすい寝具を足部環境調整装置２００（２００Ｋ）の上に配置した場合には、ユーザの就寝中の動きに応じてこれらの掛け寝具が天板部２０１（２０１Ｋ）の上部で滑って移動してしまうおそれが大きい。掛け寝具が天板部２０１（２０１Ｋ）の上部で滑って移動すると、足部環境調整装置２００（２００Ｋ）の内部の温度が適温に保たれなくなるという問題が発生する。
【００４３】
この問題をできるだけ発生させないように、この関連技術では、足部環境調整装置２００（２００Ｋ）をできるだけ角張った形状の装置として構成していた。これにより、足部環境調整装置２００（２００Ｋ）の外形のデザインが限定されるという問題も発生した。
【００４４】
そこで本発明の目的は、軽く形状の変形しやすい寝具を掛け寝具の全部または一部として使用する場合であっても、掛け寝具と装置本体の相対的な移動を効果的に防止することのできる足部環境調整装置を得ることにある。
【００４５】
本発明の他の目的は、装置本体の外形の形状に自由度を持たせることのできる足部環境調整装置を得ることにある。
【課題を解決するための手段】
【００４６】
本発明では、（イ）人が所定の基準面上に仰向けに横たわった状態でその両足の踵から爪先までの足部を収容可能な予め定めた３次元空間としての前記した基準面よりも上方に位置する水平な上面部、前記した基準面に位置する底面部およびこれらの間を隙間なく結ぶ側面部からなる環境調整領域における前記した上面部と接する全体として水平で平板状をした天板部と、（ロ）前記した側面部を一周して取り囲む筒状の仮想領域内に配置され、前記した天板部の底面に上端部を位置させると共に、前記した基準面に下端部を位置させることで前記した天板部を空間的に固定的に保持する支持部材であって、前記した側面部における特定の側部側とこの側部側の反対に位置する他方の側部側の双方に前記した基準面を底辺とし前記した足部を前記した環境調整領域とそれ以外の領域の間で出し入れ可能にするサイズと形状の開口部を少なくとも１つずつ設けた天板支持部と、（ハ）前記した天板部と天板支持部の少なくとも一方に配置され、温度あるいは通気状態で定まる前記した足部の環境条件を、前記した環境調整領域の温度を通電により変化させる温度制御デバイスあるいは前記した環境調整領域の空気を通電により移動させるファンの少なくとも一方からなる環境調整部品への前記した通電によって電気的に調整する環境調整手段と、（ニ）敷き布団あるいはベッドの上を基準面として人が仰向けに横たわった状態でその両足の踵から爪先までの足部を収容可能な前記した３次元空間を確保するために前記した敷き布団あるいはベッドの上に前記した天板支持部の底部を載置したとき前記した３次元空間を構成する上面部と接する前記した天板部の少なくとも一部を覆うように掛ける寝具としての掛け寝具における前記した天板部あるいは前記した天板支持部の上部と接触する部位の少なくとも一部を構成する特定寝具部位を対応する前記した接触部に着脱自在で保持する保持部材とを足部環境調整装置が具備する。
【００４７】
また、本発明では、（イ）人が所定の基準面上に仰向けに横たわった状態でその両足の踵から爪先までの足部を収容可能な予め定めた３次元空間としての前記した基準面よりも上方に位置する水平な上面部、前記した基準面に位置する底面部およびこれらの間を隙間なく結ぶ側面部からなる環境調整領域における前記した上面部と接する全体として水平で平板状をした天板部と、（ロ）前記した側面部を一周して取り囲む筒状の仮想領域内に配置され、前記した天板部の底面に上端部を位置させると共に、前記した基準面に下端部を位置させることで、垂直方向以外の方向から所定の閾値以上の力が加わるまで前記した天板部を空間的に固定的に保持し、前記した閾値以上の力が加わるとその間だけ弾性的に変形する支持部材であって、前記した側面部における特定の側部側とこの側部側の反対に位置する他方の側部側の双方に前記した基準面を底辺とし前記した足部を前記した環境調整領域とそれ以外の領域の間で出し入れ可能にするサイズと形状の開口部を少なくとも１つずつ設けた天板支持部と、（ハ）敷き布団あるいはベッドの上を基準面として人が仰向けに横たわった状態でその両足の踵から爪先までの足部を収容可能な前記した３次元空間を確保するために前記した敷き布団あるいはベッドの上に前記した天板支持部の底部を載置したとき前記した３次元空間を構成する上面部と接する前記した天板部の少なくとも一部を覆うように掛ける寝具としての掛け寝具における前記した天板部あるいは前記した天板支持部の上部と接触する部位の少なくとも一部を構成する特定寝具部位を対応する前記した接触する部位に着脱自在で保持する保持部材とを足部環境調整装置が具備する。
【発明の効果】
【００４８】
以上説明したように本発明によれば、天板部の少なくとも一部を覆うように掛ける寝具としての掛け寝具における前記した天板部あるいはこの天板部を支持する天板支持部の上部と接触する部位の少なくとも一部を構成する特定寝具部位を対応する前記した接触する部位に着脱自在で保持する保持部材を備えた。したがって、天板部あるいは天板支持部と掛け寝具が一体化した特殊な部品を使用する必要がなく、タオルケットあるいは毛布として市販のものを使用することができ、洗濯やユーザごとの寝具の管理に便利である。
【図面の簡単な説明】
【００４９】
【図１】本発明の足部環境調整装置のクレーム対応図である。
【図２】本発明の他の足部環境調整装置のクレーム対応図である。
【図３】本発明の実施の形態による足部環境調整装置の外観を表わした斜視図である。
【図４】本実施の形態で第１および第２の暖房ユニットとこれらの電気的な接続状態を表わすために足部環境調整装置を上から見た説明図である。
【図５】本実施の形態における固定ベルトの一例を示した平面図である。
【図６】人が仰向けになって寝具を掛けて寝ている従来の一般的な状態を示した断面図である。
【図７】従来における足の爪先に荷重が掛かる際に両足を同じ向きに傾けた状態を足の裏側から頭部の方向に見た説明図である。
【図８】従来における足の爪先に荷重が掛かる際に両足を互いに外側に回転させるように傾けた状態を足の裏側から頭部の方向に見た説明図である。
【図９】関連技術の足部環境調整装置の外観を表わした斜視図である。
【図１０】関連技術で人が仰向けになって寝具を掛けて寝ている状態の一例を横側から見た断面図である。
【図１１】関連技術における足部環境調整装置の回路構成の概要を表わした回路図である。
【図１２】関連技術の変形例としての足部環境調整装置の外観を表わした斜視図である。
【発明を実施するための形態】
【００５０】
図１は、本発明の足部環境調整装置のクレーム対応図を示したものである。本発明の足部環境調整装置１０は、天板部１１と、天板支持部１２と、環境調整手段１３と、保持部材１４を備えている。ここで天板部１１は、人が所定の基準面上に仰向けに横たわった状態でその両足の踵から爪先までの足部を収容可能な予め定めた３次元空間としての前記した基準面よりも上方に位置する水平な上面部、前記した基準面に位置する底面部およびこれらの間を隙間なく結ぶ側面部からなる環境調整領域における前記した上面部と接する全体として水平で平板状をしている。また、天板支持部１２は、前記した側面部を一周して取り囲む筒状の仮想領域内に配置され、天板部１１の底面に上端部を位置させると共に、前記した基準面に下端部を位置させることで天板部１１を空間的に固定的に保持する支持部材であって、前記した側面部における特定の側部側とこの側部側の反対に位置する他方の側部側の双方に前記した基準面を底辺とし前記した足部を前記した環境調整領域とそれ以外の領域の間で出し入れ可能にするサイズと形状の開口部を少なくとも１つずつ設けた部材である。更に環境調整手段１３は、天板部１１と天板支持部１２の少なくとも一方に配置され、温度あるいは通気状態で定まる前記した足部の環境条件を、前記した環境調整領域の温度を通電により変化させる温度制御デバイスあるいは前記した環境調整領域の空気を通電により移動させるファンの少なくとも一方からなる環境調整部品への前記した通電によって電気的に調整する。また、保持部材１４は、敷き布団あるいはベッドの上を基準面として人が仰向けに横たわった状態でその両足の踵から爪先までの足部を収容可能な前記した３次元空間を確保するために前記した敷き布団あるいはベッドの上に天板支持部１２の底部を載置したとき前記した３次元空間を構成する上面部と接する天板部１１の少なくとも一部を覆うように掛ける寝具としての掛け寝具における天板部１１あるいは天板支持部１２の上部と接触する部位の少なくとも一部を構成する特定寝具部位を対応する前記した接触する部位に着脱自在で保持する。
【００５１】
図２は、本発明の他の足部環境調整装置のクレーム対応図を示したものである。本発明の他の足部環境調整装置２０は、天板部２１と、天板支持部２２と、保持部材２３を備えている。ここで、天板部２１は、人が所定の基準面上に仰向けに横たわった状態でその両足の踵から爪先までの足部を収容可能な予め定めた３次元空間としての前記した基準面よりも上方に位置する水平な上面部、前記した基準面に位置する底面部およびこれらの間を隙間なく結ぶ側面部からなる環境調整領域における前記した上面部と接する全体として水平で平板状をしている。また、天板支持部２２は、前記した側面部を一周して取り囲む筒状の仮想領域内に配置され、前記した天板部の底面に上端部を位置させると共に、前記した基準面に下端部を位置させることで、垂直方向以外の方向から所定の閾値以上の力が加わるまで前記した天板部を空間的に固定的に保持し、前記した閾値以上の力が加わるとその間だけ弾性的に変形する支持部材であって、前記した側面部における特定の側部側とこの側部側の反対に位置する他方の側部側の双方に前記した基準面を底辺とし前記した足部を前記した環境調整領域とそれ以外の領域の間で出し入れ可能にするサイズと形状の開口部を少なくとも１つずつ設けた部材である。また、保持部材２３は、敷き布団あるいはベッドの上を基準面として人が仰向けに横たわった状態でその両足の踵から爪先までの足部を収容可能な前記した３次元空間を確保するために前記した敷き布団あるいはベッドの上に天板支持部２２の底部を載置したとき前記した３次元空間を構成する上面部と接する天板部２１の少なくとも一部を覆うように掛ける寝具としての掛け寝具における天板部２１あるいは天板支持部２２の上部と接触する部位の少なくとも一部を構成する特定寝具部位を対応する前記した接触する部位に着脱自在で保持する。
【００５２】
ここで、掛け寝具は、敷き布団あるいはベッドの上を基準面として人が仰向けに横たわった状態でその両足の踵から爪先までの足部を収容可能な予め定めた３次元空間を確保するために前記した敷き布団あるいはベッドの上に足部環境調整装置１０（２０）を載置したとき前記した３次元空間を構成する上面部と接する全体として水平で平板状をした天板部の少なくとも一部を覆うように掛ける道具であり、掛け布団、毛布、タオルケット等の寝具をいう。
【００５３】
＜発明の実施の形態＞
【００５４】
次に本発明の実施の形態を説明する。
【００５５】
図３は、本発明の実施の形態による足部環境調整装置本体の外観を表わしたものである。この足部環境調整装置本体３００は、互いに第１の長さに調整した第１および第２の角材３０１１、３０１２と、互いに第２の長さに調整した第３および第４の角材３０１３、３０１４を接続箇所が互いに直角をなすように組み合わせて接着した枠体と、第１〜第４の角材３０１１〜３０１４の上部に接着剤で接着された凹凸のあるシート状の第１〜第４の滑り防止材３０２１〜３０２４と、第１および第２の角材３０１１、３０１２の間を橋渡すように配置された木製の柱状の把手３０３から構成される天板部３０４を備えている。天板部３０４の４隅の底部には、互いに第３の長さに調整した第１〜第４の支柱３０５１〜３０５４の上端が、それぞれ接着されている。また、第１の支柱３０５１と第３の支柱３０５３の間には、この図には示していないスペーサを介して第１の暖房ユニット３０８１が配置されている。更に、第２の支柱３０５２と第４の支柱３０５４の間には、同様に図示しないスペーサを介して第２の暖房ユニット３０８２が配置されている。第１〜第４の支柱３０５１〜３０５４に取り付けられたネジ３０９は、これら第１および第２の暖房ユニット３０８１、３０８２を前記したスペーサを介して側部から挟持するように固定するために用いられている。
【００５６】
第１および第２の暖房ユニット３０８１、３０８２の上部隅からは樹脂製の円筒状の第１および第２の保護チューブ３１０１、３１０２が突出している。ただし、第２の保護チューブ３１０２は第４の滑り防止材３０２４の背後にあるため、隠れており、図示していない。
【００５７】
電源プラグ３１１を一端に接続した電源コード３１２の他端は、図示しないメガネ型電源プラグに接続している。このメガネ型電源プラグは、第３の支柱３０５３における第１の暖房ユニット３０８１の配置された側と反対側の面に取り付けられた図示しないメガネ型電源ソケットに装着することで、第１および第２の保護チューブ３１０１、３１０２を経由して第１および第２の暖房ユニット３０８１、３０８２に電源が供給されるようになっている。電源の伝達経路については、後に説明する。
【００５８】
第１および第２の暖房ユニット３０８１、３０８２の表面には温度設定部３１４１、３１４２が配置されている。ただし、第２の暖房ユニット３０８１側の温度設定部はこの図で裏側に配置しているため図示していない。
【００５９】
第１の角材３０１１には、その外側を向いた側面に第１の溝３１５１が切られている。第２の角材３０２１にも、同様に外側を向いた側面に第２の溝３１５２が切られている。これら第１および第２の溝３１５１、３１５２は、この図には示していない結束バンドを使用する際の固定用の溝である。結束バンドは、足部環境調整装置３００にタオルケット等の軽い掛け寝具を使用する場合に必要に応じてこれらを固定する際に使用するものであり、後に説明する。
【００６０】
第１の角材３０１１には、更にその上面の中央長手方向に第３の溝３１５３が切られている。第２の角材３１５２および第３の角材３１５３についても同様であり、それぞれ第４および第５の溝３１５４、３１５５が切られている。第１の角材３１５１および第２の角材３１５２には、更に第３の溝３１５３の延長部分として第６および第７の溝３１５６、３１５７が切られている。
【００６１】
また、この図には示していないが第１の角材３１５１における第３の支柱３０５３の上端面中央に対応する位置からは第１の角材３１５１の上端面中央から所定の深さまで第１の垂直穴が開けられている。この第１の垂直穴は、メガネ型電源ソケット用の図示しない第１の水平穴と連結している。第３〜第５の溝３１５３〜３１５５の上面は第１〜第３の滑り防止材３０２１〜３０２３によって覆われており、製品組立後の外観からは見ることができない。また、第３および第４の溝３１５３、３１５４の両端部も図示しないゴム、プラスチックあるいは木材製の栓によって封止されている。
【００６２】
このような構造となった足部環境調整装置本体３００のサイズの一例を示す。第１および第２の角材３０１１、３０１２の長手方向の長さである第１の長さは、３０センチメートルである。また、第１および第２の角材３０１１、３０１２の高さ方向の長さは２センチメートルであり、足部環境調整装置本体３００の幅方向の長さは４センチメートルである。第３および第４の角材３０１３、３０１４の長手方向の長さである第２の長さは、２７センチメートルである。また、第３および第４の角材３０１３、３０１４の高さ方向の長さは２センチメートルであり、足部環境調整装置本体３００の幅方向の長さは１０センチメートルである。第１〜第４の支柱３０５１〜３０５４の長手方向の長さである第３の長さは、１８センチメートルである。これら第１〜第４の支柱３０５１〜３０５４は、４センチメートル平方の角材を使用している。第１および第２の暖房ユニット３０８１、３０８２は、共にその厚さが４センチメートルとなっており、第１〜第４の支柱３０５１〜３０５４の面と一致するように配置されている。
【００６３】
したがって、足部環境調整装置本体３００の全体的な外形のサイズは、布団の幅方向に３５センチメートル、長さ方向に３０センチメートル、高さ方向に２０センチメートルとなる。もちろん、ユーザの体格に合わせてサイズは各種変形が可能である。また、第１〜第４の支柱３０５１〜３０５４を、ネジや足下駄のようなもので長さ（足部環境調整装置本体３００の高さ）を調整できるようにしてもよい。
【００６４】
図４は、第１および第２の暖房ユニットとこれらの電気的な接続状態を表わしたものである。この図４は足部環境調整装置本体３００を上から見たものであるが、電気関係の配線およびメガネ型電源ソケット３２１の１対のピン３２２、３２３は説明のため実線で表わしている。
【００６５】
図３に示した第３の支柱３０５３の上部および第１の角材３０１１に加工された第３の溝３１５３には第１の穴３２４１が開けられている。また、図３に示した第１の暖房ユニット３０８１の上部から突き出た第１の保護チューブ３１０１に突き当たる第１の角材３０１１の第３の溝３１５３には第２の穴３２４２が貫通している。同様に図３に示した第２の暖房ユニット３０８２の上部から突き出た第２の保護チューブに突き当たる第２の角材３０１２の第４の溝３１５４には第３の穴３２４３が貫通している。第１の角材３０１１には、メガネ型電源ソケット３２１を取り付ける図示しない穴が開いており、これは第１の穴３２４１と連通している。
【００６６】
メガネ型電源ソケット３２１には、図３に示した電源プラグ３１１を一端に接続した電源コード３１２の他端側のプラグ部３２６が嵌入されるようになっている。これにより、１対のピン３２２、３２３には商用電源が供給される。
【００６７】
一方のピン３２２には、第１の電線３２７１と第２の電線３２７２が半田付けされている。他方のピン３２２には、第３の電線３２７３と第４の電線３２７４が半田付けされている。第１の電線３２７１と第３の電線３２７３は、第１の穴３２４１および第２の穴３２４２を経て図３に示した第１の暖房ユニット３０８１に接続されている。第２の電線３２７２と第４の電線３２７４は、第１の穴３２４１および第３の穴３２４３ならびに第４、第５の溝３１５４、３１５４を経て図３に示した第２の暖房ユニット３０８２に接続されている。第１の暖房ユニット３０８１および第２の暖房ユニット３０８２は、図１１に示した電気回路を簡略したものとなっており、図３に示した温度設定部３１４１、３１４２が温度調節摘まみ２３４に対応している。
【００６８】
図５は、タオルケット等の比較的軽く薄い掛け寝具を使用する際に足部環境調整装置本体に組み合わせて使用する固定ベルトの一例を示したものである。固定ベルト３３１は、長尺のベルト本体３３２と、このベルト本体３３２の一端に取り付けられたバックル３３３と、他端に取り付けたフック３３４から構成されている。固定ベルト３３１の長さは、図３に示した第１および第２の溝３１５１、３１５２を経て天板部３０４を１周する長さよりも所定長短くなっている。また、ベルト本体３３２の幅は、第１および第２の溝３１５１、３１５２の幅よりも短くなっている。ベルト本体３３２は、その両端に位置する第１の部分３３２１および第２の部分３３２２が革等の伸縮しにくい素材で構成されており、中央に位置する第３の部分３３２３がゴム等の伸縮性の素材で構成されている。
【００６９】
バックル３３３と第１の部分３３２１、第１の部分３３２１と第３の部分３３２３、第３の部分３３２３と第２の部分３３２２ならびに第２の部分３３２２とフック３３４の間は、これらの材料を接続する接続部３３５１〜３３５４を構成している。
【００７０】
室温が比較的高い状態でユーザがタオルケット等の比較的軽く薄い掛け寝具のみを使用する場合には、これらの掛け寝具を足部環境調整装置本体３００に固定ベルト３３１で所望の位置に固定することができる。また、室温が比較的低い冬場でも厚い掛布団の下に比較的薄い掛け寝具を併用して使用する場合には、その比較的薄い掛け寝具を固定ベルト３３１で足部環境調整装置本体３００に固定しておくことで、就寝中の寝具のずれを防止することができる。
【００７１】
なお、本実施の形態では掛け寝具の固定に長尺の固定ベルト３３１を使用したが、これに限るものではない。たとえば、固定用の紐を足部環境調整装置本体３００の天板部３０４（図３参照。）の周囲に巻いて掛け寝具の一部を固定することも可能である。また、図示しない各種のクリップを使用して掛け寝具の一部と足部環境調整装置本体３００の上部を固定するようにしてもよい。
【００７２】
更に実施の形態ではベルト本体３３２を伸縮性の異なった複数の素材の組み合わせとしたが、これに限定されるものではない。たとえば伸縮性に富んだ単一の素材を使用してもよいし、革等の伸縮しにくい素材に複数の穴を開け、これらの穴のうちの１つを選択することで掛け寝具を固定する長さを調整するようにしてもよい。
【００７３】
また、本実施の形態では滑り防止材３０２１〜３０２４を天板部３０４の上部に配置した。これ以外の場所、たとえば第３および第４の角材３０１３、３０１４の側面に滑り防止材を配置することは自由である。
【００７４】
更に、本実施の形態ではガネ型電源ソケット３２１を第３の支柱３０５３に取り付けたが、これに限るものではない。たとえば第１の角材３０１１における第１および第２の溝３１５１、３１５２以外の面に設けてもよい。この場合には、第１の穴３２４１を省略し、図４で説明したよりも製造工程および配線が単純化する。
【００７５】
更にまた、本実施の形態では図３に示すように第３の溝３１５３および第４の溝３１５４を全長にわたって切ることにしたが、配線が行われる必要箇所に限定して溝を切るようにしてもよい。
【００７６】
なお、本発明の適用される足部環境調整装置本体３００は、特許文献１に示すように各種の変形が可能である。また、本発明ではタオルケット等の比較的軽く薄い掛け寝具を装置本体側に着脱自在で保持する保持部材を使用することにした。このため、足部環境調整装置本体自体の天板は必ずしも角張った形状となる必要はない。すなわち、天板は曲線を適宜取り入れた形状にすることができる。この結果として、本発明では装置本体のデザインの自由度が拡大する。
【産業上の利用可能性】
【００７７】
以上説明した本発明は、大人あるいは子供の足部の環境を調整する足部環境調整装置として説明したが、足部を広義に解釈して膝等の脚部の環境を調整するために本発明を利用することも可能である。この場合には、天板部と基準面およびそれぞれの天板支持部に囲まれた領域、あるいは環境調整領域における足の挿入される側に位置する「入り口」だけでなくその反対側（水平に基準面上に寝た人の足部から見て頭部と反対側）も足および膝等の脚部が出入りできる広さの空間を形成していれば、足部環境調整装置を足および脚部に沿って複数個連結あるいは間欠的に配置して使用することも可能である。
【符号の説明】
【００７８】
１０、２０  足部環境調整装置
１１、２１  天板部
１２、２２  天板支持部
１３  環境調整手段
１４、２３  保持部材
３００  足部環境調整装置本体
３０１１  第１の角材
３０１２  第２の角材
３０１３  第３の角材
３０１４  第４の角材
３０２１  第１の滑り防止材
３０２２  第２の滑り防止材
３０２３  第３の滑り防止材
３０２４  第４の滑り防止材
３０４  天板部
３０５１  第１の支柱
３０５２  第２の支柱
３０５３  第３の支柱
３０５４  第４の支柱
３０８１  第１の暖房ユニット
３０８２  第２の暖房ユニット
３１１  電源プラグ
３２１  メガネ型電源ソケット
３２６  プラグ部
３３１  固定ベルト
３３２  ベルト本体
３３３  バックル
３３４  フック
【図１】
2015113984.tif 000003
【図２】
2015113984.tif 000004
【図３】
2015113984.tif 000005
【図４】
2015113984.tif 000006
【図５】
2015113984.tif 000007
【図６】
2015113984.tif 000008
【図７】
2015113984.tif 000009
【図８】
2015113984.tif 000010
【図９】
2015113984.tif 000011
【図１０】
2015113984.tif 000012
【図１１】
2015113984.tif 000013
【図１２】
2015113984.tif 000014